(57)【要約】【課題】れんがを積み上げる高さが高い場合であっても、れんがの積み上げの作業性が良い構造体を提供する。【解決手段】間隔をおいて複数配置されるベース板２と、各ベース板２上で起立する筒状支柱３と、筒状支柱３に挿通された状態で積み上げられる複数のれんが４と、筒状支柱３に挿通され、積み上げられるれんが４の間に配置されるスペーサ５と、筒状支柱３の上部を覆うカバー板６とを備える。筒状支柱３は、上下方向に分割された複数の分割支柱７と、その分割支柱７同士を連結し、一部が分割支柱７内に挿通された状態で固定される連結軸部７ａとを有し、筒状支柱３は、下位の分割支柱７の連結軸部７ａが上位の分割支柱７内に下方から挿通されて、最上位の分割支柱７の上方に補助支柱８が連結されたものである。【選択図】図１
2017089126.tif 000002
【特許請求の範囲】
【請求項１】
間隔をおいて配置される複数の筒状支柱（３）と、上下方向の複数の貫通孔（４ａ）を有し、その貫通孔（４ａ）に前記筒状支柱（３）が挿通された状態で積み上げられる複数のれんが（４）と、前記筒状支柱（３）に挿通され、積み上げられる前記れんが（４）の間に配置されるスペーサ（５）とを有し、
前記筒状支柱（３）は、上下方向に分割された複数の分割支柱（７）と、その分割支柱（７）同士を連結する連結軸部（７ａ）とを有し、前記連結軸部（７ａ）は、その一部が前記分割支柱（７）内に挿通された状態で、前記分割支柱（７）に固定されたものであり、下位の前記分割支柱（７）の前記連結軸部（７ａ）が上位の前記分割支柱（７）内に下方から挿通された構造体。
【請求項２】
前記筒状支柱（３）が載るベース板（２）と、前記筒状支柱（３）の上部を覆うカバー板（６）とを備え、前記ベース板（２）が前記筒状支柱（３）に嵌められる下軸部（２ｂ）と、前記ベース板（２）を固定対象物に固定する下部固定具（２ｃ）とを有し、前記カバー板（６）が前記筒状支柱（３）に嵌められる上軸部（６ａ）と前記カバー板（６）を固定対象物に固定する上部固定具（６ｄ）とを有する請求項１に記載された構造体。
【請求項３】
前記ベース板（２）が帯状に形成され、前記下軸部（２ｂ）が前記ベース板（２）に対して、前記複数の筒状支柱（３）と同じ間隔に配置された請求項１または２に記載された構造体。
【請求項４】
前記カバー板（６）が帯状に形成され、前記上軸部（６ａ）が前記カバー板（６）に対して、前記複数の筒状支柱（３）と同じ間隔に配置された請求項１または２に記載された構造体。
【発明の詳細な説明】
【技術分野】
【０００１】
本発明は、建物の外壁を化粧する外装仕上げ材や建物の屋内空間の仕切材などとして用いられる複数のれんがを積み上げた構造体に関する。
【背景技術】
【０００２】
建物の外壁を化粧する外装仕上げ材や建物の屋内空間の仕切体などとして、れんがを積み上げて構築される構造体が用いられている。
【０００３】
このような構造体としては、例えば、並列して設けた複数の支柱と、その支柱を挿通する挿通孔を有し、その挿通孔に支柱を挿通した状態で積み上げるれんがと、支柱に挿通した状態で積み上げたれんが間に配置するスペーサとからなり、れんがを支柱に挿通し、スペーサを挟みながら積み上げることにより構築されるものが提案されている（特許文献１参照）。
【０００４】
この構造体のれんがは、挿通孔がれんがの幅方向（れんがを積み上げたときの面内方向）に長い楕円形状をなしている。スペーサは、エラストマーからなり、れんがの挿通孔内に挿入する円柱状の本体と、本体の上端外周に設ける楕円形状の鍔部とから形成されている。
【０００５】
上記れんがは、挿通孔が面内方向に長い楕円形状をなしていることから、構造体は面内方向への変位追従を可能とすることができる。また、積み上げたれんが間にエラストマーからなるスペーサが挟み込まれているので、地震時の鉛直方向の応力をスペーサ自体の弾性により吸収することができる。
【先行技術文献】
【特許文献】
【０００６】
【特許文献１】実用新案登録第３１９７２７７号公報
【発明の概要】
【発明が解決しようとする課題】
【０００７】
特許文献１に記載された構造体は、上述の外装仕上げ材や仕切材としての必要な高さを確保するため、その高さを有する複数の支柱を並列して設ける必要があった。このため、支柱に挿通するれんがは、挿通孔に支柱を挿通した状態で手に持って保持しつつ、支柱の上端から下方に移動させて積み上げする必要がある。
【０００８】
その結果、構造体の高さが高くなるほど、支柱の高さが高くなり、れんがを手に持って保持しつつ、支柱の上端から下方に移動させる距離が長くなり、れんがを積み上げる作業性が悪くなるという問題があった。
【０００９】
そこで、この発明は、れんがを積み上げる高さが高い場合であっても、れんがの積み上げの作業性が良い構造体を提供する。
【課題を解決するための手段】
【００１０】
上記の課題を解決するために、この発明は、間隔をおいて配置される複数の筒状支柱と、上下方向の複数の貫通孔を有し、その貫通孔に前記筒状支柱が挿通された状態で積み上げられる複数のれんがと、前記筒状支柱に挿通され、積み上げられる前記れんがの間に配置されるスペーサとを有し、
前記筒状支柱は、上下方向に分割された複数の分割支柱と、その分割支柱同士を連結する連結軸部とを有し、前記連結軸部は、その一部が前記分割支柱内に挿通された状態で、前記分割支柱に固定されたものであり、下位の前記分割支柱の前記連結軸部が上位の前記分割支柱内に下方から挿通された構成を採用することができる。
【００１１】
この構成によると、積み上げられたれんがが分割支柱の上部にまで達したとき、その下位の分割支柱の連結軸部の外周部に他の分割支柱を下方から嵌めて連結し、順次筒状支柱を高くすることができる。
【００１２】
このため、貫通孔に筒状支柱を挿通した状態でれんがを保持しつつ下方へ移動させる長さが、分割支柱の長さ以上となることがない。
【００１３】
この構成において、前記筒状支柱が載るベース板と、前記筒状支柱の上部を覆うカバー板とを備え、前記ベース板は、前記筒状支柱が嵌められる下軸部と、前記ベース板を固定対象物に固定する下部固定具とを有し、前記カバー板が、前記筒状支柱内に上方から嵌められる上軸部と、前記カバー板を固定対象物に固定する上部固定具とを有する構成を採用することができる。
【００１４】
この構成によると、複数の筒状支柱、それぞれの筒状支柱が挿通され、積み上げられる複数のれんが、及び積み上げられる複数のれんがの間に配置されるスペーサを一体として、ベース板の下部固定具とカバー板の上部固定具により固定対象物に固定することができる。
【００１５】
前記ベース板が帯状に形成され、前記下軸部が前記ベース板に対して、前記複数の筒状支柱の間隔と同じ間隔に配置された構成や、前記カバー板が帯状に形成され、前記上軸部が前記カバー板に対して、前記複数の筒状支柱の間隔と同じ間隔に配置された構成を採用することができる。
【００１６】
この構成では、予め、ベース板上において複数の筒状支柱を間隔をおいて配置した状態とすることができるので、れんがの積み上げを容易に行うことができる。また、れんがが積み上がった状態で、カバー板の上軸部をそれぞれの筒状支柱内に嵌め合わせることで、それぞれの筒状支柱の姿勢を安定させることができる。
【発明の効果】
【００１７】
この発明は、筒状支柱が複数に分割された分割支柱と、その分割支柱同士を連結する連結軸部とを有するので、所要の高さまで順次分割支柱を連結しつつ、れんがを積み上げればよく、れんがを積み上げる高さが高い場合であっても、れんがの積み上げ作業性が良い。
【００１８】
また、れんがを積み上げる高さが高い場合であっても、貫通孔に筒状支柱を挿通した状態でれんがを保持しつつ下方へ移動させる長さが、分割支柱の長さ以上となることがなく、れんがを保持する時間が短縮される。
【図面の簡単な説明】
【００１９】
【図１】この発明に係る第一実施形態の構造体の正面図
【図２】同上の構造体の一部切り欠き側面図
【図３】同上の構造体の下部の縦断正面図
【図４】同上の構造体の上部の縦断正面図
【図５】同上の筒状支柱の連結部分での縦断正面図
【図６】同上の筒状支柱の連結部分での分解斜視図
【図７】この発明に係る第二実施形態の構造体の下部の縦断正面図
【図８】同上の構造体の上部の縦断正面図
【図９】この発明に係る第三実施形態の構造体の下部の縦断正面図
【図１０】同上の構造体の上部の縦断正面図
【図１１】同上の構造体の上部での斜視図
【図１２】同上の構造体の縦断側面図
【発明を実施するための形態】
【００２０】
以下、この発明の第一実施形態に係る構造体を図１〜図６に基づいて説明する。
この実施形態の構造体１は、建物の屋内空間の仕切材として用いられ、天井Ｃと床面Ｆから立ち上がる長尺の基台Ｂとの間に固定されている。
【００２１】
構造体１は、図１、２に示すように、間隔をおいて複数配置されるベース板２と、それぞれのベース板２上で起立する筒状支柱３と、筒状支柱３が挿通された状態で積み上げられる複数のれんが４と、筒状支柱３が挿通され、積み上げられるれんが４の上下方向の間に配置されるスペーサ５と、筒状支柱３の上部を覆うカバー板６とを備えている。
【００２２】
ベース板２は矩形をなし、下面に形成されるアンカー２ａと上面に形成される筒状の下軸部２ｂとを有する。ベース板２は、基台Ｂ上に間隔をおいて複数配置され、アンカー２ａにより、基台Ｂに固定される。なお、ベース板２は、基台Ｂに固定する必要はなく、天井高さや屋内空間の広さ等に応じて、床面Ｆに直接固定してもよい。
【００２３】
アンカー２ａは、中実の軸体であり、外周部に基台Ｂに対する引抜耐力を付与する凹凸を有する。アンカー２ａの凹凸は、陥没、突起、孔、ねじ溝あるいは、これらを組み合わせたものを適用することができる。
【００２４】
下軸部２ｂは、図３に示すように、ベース板２から上向きに突き出す円筒状の軸体であり、軸方向が上下方向となる状態でベース板２に対して溶接により一体化されている。下軸部２ｂは、その外収部に筒状支柱３が下方から嵌められた状態となり、ベース板２上に筒状支柱３が支えられる。
【００２５】
筒状支柱３は、図１に示すように、上下方向に複数に分割された分割支柱７と、その分割支柱７の上端に固定され、分割支柱７同士を連結する連結軸部７ａと、最上位の分割支柱７の上方に連結される円筒状の補助支柱８とを有する。
【００２６】
分割支柱７は、所定長さを有する円筒体であり、ベース板２の下軸部２ｂの外周部に嵌め合わせ可能な内径を有する。分割支柱７は、図５に示すように、連結軸部７ａの一部が上端部に挿通された状態で固定される。連結軸部７ａは、図６に示すように、円筒状の軸体であり、分割支柱７の上端部から一部突き出している。
【００２７】
分割支柱７に対する連結軸部７ａの固定は、分割支柱７の上部及び連結軸部７ａの下部での上下方向二箇所において、直径方向二箇所でのねじ部材７ｂのねじ結合によりなされる。分割支柱７の長さは、現場の作業環境、要求される筒状支柱３の強度などに応じて設定され、例えば、１５００ｍｍ〜２０００ｍｍに設定される。
【００２８】
補助支柱８は、分割支柱７と同じ内外径を有する円筒体であり、その長さは要求される筒状支柱３の高さに応じて設定することが可能である。すなわち、補助支柱８は、最上位の分割支柱７の連結軸部７ａが下方から挿通された状態で、筒状支柱３として要求される高さとなるように設定される。例えば、分割支柱７よりも短く設定される。
【００２９】
筒状支柱３のうち最下位の分割支柱７は、図３に示すように、ベース板２の下軸部２ｂが下方から挿通された状態となっている。筒状支柱３は、最下位の分割支柱７から上方へ、複数の分割支柱７が連結軸部７ａを介して順次連結され、最上位の分割支柱７の連結軸部７ａに、補助支柱８が下方から挿通された状態となっている。
【００３０】
れんが４は長さ方向両側に上下方向の貫通孔４ａ、４ａを有し、例えば、普通れんがや化粧れんが（ＪＩＳ  Ｒ１２５０）を使用することができる。れんが４は、両側の貫通孔４ａに隣り合う筒状支柱３、３がそれぞれ挿通された状態で、上下方向に複数段積み上げられている。
【００３１】
複数段積み上げられたれんが４は、下段に位置する隣り合うれんが４の間に上段に位置するれんが４が配置された状態となっている。すなわち、隣り合うれんが４の間に間隔が形成された透かし積みされた状態となっている。
【００３２】
また、複数段積み上げられたれんが４のうち、左右方向両端に配置され、筒状支柱３が挿通されたものは、れんが４よりも長さが短い端用れんが４ｂが使用される。端用れんが４ｂは貫通孔４ａが中央に一箇所のみ有する。左右方向とは、構造体１を正面から見た場合における左右方向を意味する。
【００３３】
また、積み上げられたれんが４の上下方向の間に、筒状支柱３に挿通されたスペーサ５が配置される。スペーサ５は、弾性を有する合成樹脂から形成され、図６に示すように、中央に円形の貫通孔５ａを有する円板であって、貫通孔５ａの周縁に下方に突き出すリブ５ｂを有する。
【００３４】
リブ５ｂは、その外周部が下方に向かって径方向内向きに傾斜するテーパ状に形成される。リブ５ｂは、筒状支柱３とれんが４の貫通孔４ａの周縁部との間に差し込まれた状態となっている。
【００３５】
また、リブ５ｂは、上方に位置するれんが４により、筒状支柱３とれんが４の貫通孔４ａの周縁部との間を埋めるように下方に押し付けられる。リブ５ｂのくさび効果により、筒状支柱３に対してれんが４が位置決めされる。
【００３６】
所定の高さに複数段積み上げられたれんが４上にスペーサ５が筒状支柱３に挿通された状態で配置され、それぞれのスペーサ５上に筒状支柱を覆うようにカバー板６が配置される。
【００３７】
カバー板６は、図４に示すように、矩形の板体からなり、下面中央に形成された筒状の上軸部６ａを有する。上軸部６ａは、筒状支柱３の補助支柱８に対して上方から挿通された状態となっている。
【００３８】
また、カバー板６は、上面に上部固定具としての長ナット６ｂ及びねじ軸６ｃを有する。長ナット６ｂは、長さ方向が上下方向となるようにカバー板６の中央に溶接等により固定される。ねじ軸６ｃは、下端部が長ナット６ｂにねじ込まれた状態で回転不能に固定される。
【００３９】
カバー板６のねじ軸６ｃは、天井Ｃに対して筒状支柱３と同間隔に複数固定されたねじ軸である吊り金具１０と吊り金具１０にねじ結合した袋ナット１０ａとを介して連結される。袋ナット１０ａの回転により、ねじ軸６ｃは上下方向に移動可能となっている。
【００４０】
それぞれの袋ナット１０ａの回転により下方に移動したねじ軸６ｃによって、カバー板６はスペーサ５を下方に押し付けた状態となり、複数本の筒状支柱３に挿通され、積み上げられたれんが４が天井Ｃと基台Ｂとの間に固定される。
【００４１】
このように構成される構造体１は、図６に示すように、積み上げられたれんがが分割支柱７の上部にまで達したとき、その分割支柱７の連結軸部７ａの外周部に他の分割支柱７を下方から嵌めて連結して、順次、筒状支柱３を高くすることができる。
【００４２】
このため、貫通孔４ａを筒状支柱３に挿通した状態でれんが４を手で保持しつつ下方へ移動させる距離が、分割支柱７の長さ以上となることがない。手でれんが４を保持しておく時間が短縮され、れんが４の積み上げ作業性が良くなる。
【００４３】
また、筒状支柱３は、上下方向に分割された分割支柱７と補助支柱８とが、その内部に挿通した連結軸部７ａを介して順次連結される。このため、筒状支柱３は、外径寸法が全長にわたり一定となるので、貫通孔４ａに挿通して、れんが４が積み上げ易くなる。
【００４４】
なお、構造体１の筒状支柱３の下端部がベース板２を介して基台Ｂに固定されているが、ベース板２を使用せずに、例えば、基台Ｂに形成された穴に筒状支柱３を嵌めて固定することもできる。
【００４５】
また、構造体１の筒状支柱３の上端部がカバー板６を介して吊り金具１０により天井Ｃに固定されているが、カバー板６を使用せずに筒状支柱３を直接吊り金具１０を介して天井Ｃに固定することもできる。
【００４６】
次に、この発明に係る第二実施形態の構造体１を図７、８に基づいて説明する。この実施形態は、ベース板２が帯状に形成され、下軸部２ｂがベース板２に対して、複数の筒状支柱３の間隔と同じ間隔に配置された点と、カバー板６が帯状に形成され、上軸部６ａがカバー板６に対して、複数の筒状支柱３の間隔と同じ間隔に配置された点とにおいて、上述した第一の実施形態の構造体と相違する。その他の構造は、第一実施形態と同じと考えられ、同じ符号を付してその説明を省略する。
【００４７】
この実施形態では、ベース板２は帯状に形成されているので、そのベース板２が基台Ｂ上に固定されると、下軸部２ｂが筒状支柱３の間隔と同じ間隔に配置された状態となる。このため、筒状支柱３の分割支柱７の下軸部２ｂの外周部への嵌める作業が円滑に行い得る。
【００４８】
また、カバー板６は帯状に形成されているので、れんが４が積み上がったそれぞれの筒状支柱３に上軸部６ａが挿通された状態となる。この状態でそれぞれの筒状支柱３はカバー板６によって一体に支えられるので、構造体１の姿勢がより安定する。
【００４９】
なお、第二実施形態では、ベース板２及びカバー板６が帯状に形成されているが、必要に応じて、ベース板２またはカバー板６のいずれか一方のみを帯状に形成することもできる。要は、ベース板２及びカバー板６の少なくとも一方が帯状に形成されたものとすることができる。
【００５０】
この発明に係る第三実施形態の構造体１を図９〜１２に基づいて説明する。この第三実施形態の構造体１としては、ベース板２がれんが４の幅方向の一端から上方へ突き出る下部固定具２ｃを有する点、カバー板６が固定具としての長ナット６ｂとねじ軸６ｃと有する代わりに、れんが４の幅方向一端から上向きに突き出る上部固定具６ｄを有する点で、上述した第一の実施形態の構造体と相違する。その他の構造は、第一の実施形態と同じと考えられ、同じ符号を付してその説明を省略する。
【００５１】
この第三実施形態の構造体１は、固定対象物である建物の外壁Ｗを化粧する外装仕上げ材として使用される。図１２に示すように、ベース板２は、れんが４の幅方向一端から上方に突き出る板状の下部固定具２ｃを有する。下部固定具２ｃは、上下方向中央位置に二箇所並んで形成される固定孔２ｄを有する（図９参照）。
【００５２】
下部固定具２ｃは、ベース板２に対して直角となるように一体に形成される。ベース板２は、図１２に示すように、下部固定具２ｃを建物の外壁Ｗに沿って突き当てた状態で、固定孔２ｄに挿通したボルト９により建物の外壁Ｗに固定される。
【００５３】
カバー板６は、図１１に示すように、れんが４の幅方向一端から上方に突き出る板状の上部固定具６ｄを有する。上部固定具６ｄは、上下方向中央位置に二箇所並んで形成される固定孔６ｅを有する。
【００５４】
上部固定具６ｄは、カバー板６に対して直角となるように一体に形成される。カバー板６は、図１２に示すように、上部固定具６ｄを建物の外壁Ｗに対向するように突き当てた状態で、固定孔６ｅに挿通したボルト９により建物の外壁Ｗに固定される。
【００５５】
この第三実施形態の構造体１は、下部固定具２ｃ及び上部固定具６ｄにより、ベース板２及びカバー板６が建物の外壁Ｗに固定される。このため、建物の外壁Ｗを化粧する外装仕上げ材として使用可能となる。また、建物の外壁Ｗの高さ、幅に応じて、構造体１を上下方向あるいは左右方向に複数並べて固定してもよい。
【００５６】
なお、下部固定具２ｃ及び上部固定具６ｄは、ベース板２及びカバー板６に対してれんが４の幅方向の一側方から上方に突き出すように形成してもよい。この第三実施形態のように、下部固定具２ｃ及び上部固定具６ｄが、ベース板２及びカバー板６に対してれんが４の幅方向一端に上方へ突き出す状態で形成されると、ベース板２及びカバー板６が板材の折り曲げ加工等により容易に製作可能となり好ましい。
【００５７】
また、この第三実施形態において、ベース板２及びカバー板６の少なくとも一方を帯状に形成することもできる。ベース板２を帯状に形成した場合、下部固定具２ｃは、ベース板２のれんが４の幅方向一端から全長にわたり上方に突き出る状態に形成したり、ベース板２のれんが４の幅方向一端から複数の筒状支柱３と同じ間隔で複数形成したりすることができる。
【００５８】
カバー板６を帯状に形成した場合は、ベース板２の場合と同様に、上部固定具６ｄは、カバー板６のれんが４の幅方向一端から全長にわたり上方に突き出る状態に形成したり、カバー板６のれんが４の幅方向一端から複数の筒状支柱３と同じ間隔で複数形成したりすることができる。
【符号の説明】
【００５９】
１  構造体
２  ベース板
２ａ  アンカー
２ｂ  下軸部
２ｃ  下部固定具
２ｄ  固定孔
３  筒状支柱
４  れんが
４ａ  貫通孔
４ｂ  端用れんが
５  スペーサ
５ａ  貫通孔
５ｂ  リブ
６  カバー板
６ａ  上軸部
６ｂ  長ナット
６ｃ  ねじ軸
６ｄ  上部固定具
６ｅ  固定孔
７  分割支柱
７ａ  連結軸部
７ｂ  ねじ部材
８  補助支柱
９  ボルト
１０  吊り金具
１０ａ  袋ナット
Ｂ  基台
Ｃ  天井
Ｆ  床面
Ｗ  外壁
【図１】
2017089126.tif 000003
【図２】
2017089126.tif 000004
【図３】
2017089126.tif 000005
【図４】
2017089126.tif 000006
【図５】
2017089126.tif 000007
【図６】
2017089126.tif 000008
【図７】
2017089126.tif 000009
【図８】
2017089126.tif 000010
【図９】
2017089126.tif 000011
【図１０】
2017089126.tif 000012
【図１１】
2017089126.tif 000013
【図１２】
2017089126.tif 000014